(57)【要約】【課題】壁面に貼り着けられる壁紙（クロスを含む）の継ぎ目部の下側に貼着することにより、該壁紙の剥離を効果的に防止し、かつ壁紙表面に筋の現れにくい壁紙下地処理用テープを提供する。【解決手段】通気性を有する帯状の薄い台紙の中央部に、該台紙の幅よりも幅が狭く、両側の外形線が蛇行状の線として形成された補強シートが貼着されている壁紙下地処理用テープ。補強シートの表面には長手方向に沿って粘着剤の層が設けられ、その上に離型紙が貼り付けられている。また、台紙の両側縁部近辺には、蛇行状の切り目が入れられており、施工現場で手で引っ張ることにより、台紙の外縁部を切り離して蛇行状の外形線を現出させることができる。【選択図】　　　　図１
2004019408.tif 000002
【特許請求の範囲】
【請求項１】
通気性を有する帯状の薄い台紙の両側縁部の外形線が平面視凹凸状の蛇行線として形成され、その中央部には、両側の外形線が蛇行線として形成された補強シートが長手方向に沿って貼着されていることを特徴とする壁紙下地処理用テープ。
【請求項２】
通気性を有する帯状の薄い台紙であって、その両縁部の内側に平面視凹凸状の蛇行線からなる切り目が入れられており、該切り目に沿って外側部分を切り離すことにより、両縁部に凹凸状の蛇行線からなる外形線が形成される台紙と、両側の外形線が凹凸状蛇行線として形成され前記台紙の切り目よりも内側の台紙中央部に長手方向に沿って貼着された補強シートとを備えていることを特徴とする壁紙下地処理用テープ。
【請求項３】
補強シートの表面にはその長手方向に沿って接着剤層が形成されている請求項１又は２に記載の壁紙下地処理用テープ。
【請求項４】
前記台紙の両縁部の蛇行状の切り目及び／又は補強シートの外形線が、細かいギザギザ状の線を蛇行させた二重の蛇行線として形成されている請求項１乃至３のいずれかに記載の壁紙下地処理用テープ。
【請求項５】
補強シートの左右中央部に、長手方向に沿って部分抜き又はミシン目による折り曲げ用の線が形成されている請求項１乃至４のいずれかに記載の壁紙下地処理用テープ。
【請求項６】
補強シートの接着剤層が、中心線を挟んで両側にそれぞれベルト状に設けられている請求項１乃至５のいずれかに記載の壁紙下地処理用テープ。
【発明の詳細な説明】
【０００１】
【発明の属する技術分野】
本発明は、壁面に貼り着けられる壁紙（クロスを含む）の継ぎ目部や壁のコーナ部に配置され、壁紙の剥離を防止する壁紙下地テープに関するものである。
【０００２】
【従来の技術】
建物の内壁は各種ボードを継ぎ合わせて構成されるのが一般的である。これらボードの表面には壁紙、クロス等の内装材を貼り付けるか、塗装仕上げを施すのが普通である。この場合、下地であるボードの継ぎ目（ジョイント部）には溝状の凹部や段差があらわれるので、そのままでは内装材を張り付けたとき該内装材の表面にも溝状の凹部や段差があらわれることになり、美観上好ましくない。また、室内の出隅、入隅等のコーナー部は、ボードの端部同士を突き合わせて形成されるが、この場合も、そのままでは内装材の表面にボードの継ぎ目の線が現れるので、美観上好ましくない。
【０００３】
【発明が解決しようとする課題】
上記ボードの継ぎ目の溝状凹部や段差をなくす下地処理方法として従来採用されてきた方法は、パテと水を用いる湿式工法である。この方法は、強度を出すためにメッシュ状の目地テープをボードの継ぎ目に配置し、水で練ったパテをその上から塗り付けて乾燥させ、乾燥後に更に上塗りをして、該上塗りの乾燥後にサンドペーパーで研磨仕上げする方法であった。
【０００４】
上記従来の施工法は、パテの粉塵が生じるため労働衛生上問題があるほか、湿式法であるから、パテが乾くまで待つ時間や後片づけの時間等、ロス時間が多いという問題点があり、しかも熟練した作業者と種々の工具が必要であるため、コストが高いものとなっていた。また、建物の壁面に壁紙を貼り付ける場合は、裏面に糊を塗布した長尺の壁紙を用い、これを所定長さに切断して、一方の端から順に貼り合せている。この場合、先に貼り付けた壁紙と次に貼り付ける壁紙の継ぎ目部は、柄合わせ等のため、端縁部同士を重ね合わせて貼着し、貼着後に、その重なり合った部分に壁紙の端縁部に沿ってナイフ等で切り目を入れて、重なり合った両端部を切り離した後、浮き上がっている端部を壁面に押し付けて貼着固定している。
【０００５】
しかしながら、この方法では、重ね合わせた上側の壁紙の糊が下側の壁紙の表面に付着するため、下側の壁紙が汚れて美観を損なうという問題点があるほか、上側の壁紙の端部は一旦剥した後再度貼り付けるので、壁面に対する接着強度が低下して剥れ易くなるという問題点もあった。
【０００６】
また、壁の下地として表面に紙を貼り付けた石膏ボードが用いられることが多いが、この場合は、上記重なり合った壁紙の端縁部を切り離す時にボード表面にまで切り目が入るため、ボード表面に貼られている紙がめくれ、その上に貼り付けた壁紙が剥れることが多かった。
【０００７】
このような問題点を改良するものとして、壁の色と同様な色に着色された薄いテープ本体の少なくとも一面に、水で活性化する乾燥状態の水溶性接着剤層を設けた壁紙貼着用テープが提案されている（特開平１１−３６５４９号）。このテープは、２枚の壁紙の隣接部に沿って壁紙と壁面との間に介在させることで、２枚の壁紙の縁部に沿って糊が追加され、その接着が強固になるもので、下地と同様な着色を施しているので、壁紙が薄い場合や透けて見える場合でも当該テープ貼着位置が目立たないとされている。
【０００８】
しかしながら、このものは、テープの両縁部が直線状となっていて、しかも厚みのある接着剤層がテープの全幅にわたって形成されているので、テープ本体を薄くしても、その縁部の線が壁紙表面に現れ易く、見栄えが損なわれるおそれがあった。また、壁紙貼り付け時には、水で溶いた糊を塗布するため、作業者の手が水で塗れている場合が多いが、テープの全面に水で活性化する接着剤層が設けられているので、施工に際して作業者が水で濡れた手でさわると、接着剤が活性化し、テープ同士が引っ付いて剥れなくなり、作業性が著しく低下するという問題点もあった。これを防止するには、テープの側縁部に容易に剥すことのできるプラスチック等のカバーを被せておけばよいが、この方法では余分な部材が必要となり、コストが上昇するので好ましくない。
【０００９】
以上に述べたような従来の下地処理方法の上記問題点を解決するものとして、本発明者は帯状の台紙の中央部に該台紙の幅よりも狭い幅で長手方向に沿って樹脂含浸層が設けられ、該樹脂含浸層の表面に該含浸層の幅よりも狭い幅の合成樹脂シートが貼着され、これら合成樹脂シートを含む台紙の表面部に粘着剤が塗布されている下地処理用テープ（特開２０００−８７５２６号）と、両側縁部がギザギザ状に形成された帯状の薄い台紙の中央部に該台紙の幅よりも狭い幅で長手方向に沿って接着剤層が設けられている壁紙めくれ防止用テープ（特開２０００−３２８０１５号）を開発した。
【００１０】
これらのテープは、両側縁部をギザギザ状に加工したもので、壁紙の下に貼り着けたとき壁紙表面に筋が現れないので、現実に広く実用され好評を博しているが、テープの中央部に接着剤を含浸しなければならず、しかも両側縁部にむしり取ったような細かいギザギザ加工を施しているので、紙質や加工法に制限が多いという問題点がある。そこで、本発明は、より簡単な構造の壁紙下地処理用テープを提供することを課題としている。
【００１１】
【課題を解決するための手段】
上記課題を解決するため、本発明はつぎのような壁紙下地処理用テープを提供する。すなわち、本発明にかかる壁紙下地処理用テープは、通気性を有する帯状の薄い台紙の両側縁部の外形線が平面視凹凸状の蛇行線として形成され、その中央部には、両側の外形線が蛇行線として形成された補強シートが長手方向に沿って貼着されていることを特徴としている。上記台紙の蛇行状外形線は、予め台紙の両側縁部の内側に平面視蛇行状の切り目を入れておき、使用時に当該蛇行状の切り目よりも外側の部分を切り離すことにより形成するようにしておくのが好ましい。
【００１２】
【発明の実施の形態】
以下、本発明の実施の形態について具体的に説明する。図１は本発明の壁紙下地処理用テープの実施形態を表すもので、この壁紙下地処理用テープ（以下「下地テープ」と略称する）１は、薄い帯状の台紙２を備え、該台紙２の幅方向の中央部に該台紙の幅よりも狭い補強シート３が貼り付けられている。台紙２の幅は例えば４０〜８０ｍｍ程度である。台紙２としては、秤量１０〜５０ｇ／ｍ２　程度、より好ましくは１０〜２０ｇ／ｍ２　の薄い天然紙や再生紙等を使用することができる。この台紙２として、多数の小孔２ａが設けられた多孔紙を使用するのが好ましい。この小孔２ａは通気性を付与して裏側の空気を逃がすためのもので、小孔としては、直径数ｍｍ以下のものでよく、場合によっては目の細かい網状のものであってもよい。また、補強シート３としては、台紙よりも強度の高い紙や合成樹脂フィルム（例えば、厚さ０．０５〜０．３ｍｍ程度のポリエステル、塩化ビニル、ポリプロピレン等のフィルム）を使用することができる。
【００１３】
台紙２の幅内に設けられている補強シート３の幅は、台紙２に設けられている後述の切り目の幅よりも狭く、補強シート３の両側に台紙２が張り出している。補強シート３の表面には２筋の接着剤（粘着剤）層４，４が設けられており、この層４の表面は、離型紙６で覆われている。接着剤層４の幅と間隔は、使用条件等によって適当なものとすればよいが、通常は数ｍｍ乃至数十ｍｍ程度である。この接着剤、及び補強シート３を台紙２に貼り着ける接着剤としては、この種のテープ用の糊として使用されている公知の接着剤を使用すればよい。実用的には、例えばＰＶＡ（ポリビニールアルコール）のような水溶性接着剤を使用するのが好ましい。ＰＶＡの他にも、ＰＥＯ、イソブテン等を主成分とするものがある。補強シート３の表面にも接着剤を塗布しておくと施工に便利である。
【００１４】
この下地テープ１の台紙２は、その両側縁部付近に平面視凹凸状の蛇行線からなる切り目５が入れられている。この切り目５は例えばミシン目であり、台紙の側縁部を手で引っ張るだけで容易に切り離されるものである。このように、台紙２の側縁部に蛇行状の切り目５を入れておくのは、施工時に両側縁部を切り離して蛇行状の外形線を現出させるためである。台紙の両側縁部の外形線を最初から蛇行状の外形線としておけば、現場で外縁部を切り離す手間は不要となるが、外形部を最初から蛇行状としておくと、この部分が折れ曲がりやすくなるので、運搬等の取扱時に該蛇行状の外形部が折れ曲がって使用に不便なものとなる。このため、使用前の台紙の外形線は通常の紙テープのように直線状としておき、使用時に外側を切り離して蛇行状外形線を現出させるようにするのが好ましい。この蛇行状外形線が上記補強シート３から張り出す幅は、取扱に支障がなく、かつ施工後の壁紙表面に当該外形線の筋が現れないような幅とすればよい。例えば片側で５〜２０ｍｍ程度とすればよい。この幅が大きすぎると不経済であり、逆に小さすぎると取り扱いが難しくなるとともに、壁紙表面に筋が現れるおそれがあるので好ましくない。
【００１５】
上記のとおり、この下地テープ１は、台紙２及び補強シート３の両側縁部の外形線がともに平面視蛇行状となっている。これは、壁紙の下に貼ったときに、台紙２や補強シート３の外形線をぼかして表面に筋が現れないようにするためのものである。この実施形態では、さらにぼかし効果を高めるため、外形線自体を細かいギザギザ状とし、このギザギザ状の線を蛇行させている。すなわち、上記外形線は、細かいギザギザと大きいうねり（ジグザグ）を組み合わせた二重構造の蛇行線となっている。
【００１６】
この場合の大きいうねり（凹凸）の寸法は、図３（ａ）に示すように、凹部と凸部の差ｈが３〜３０ｍｍ、凸部の頂部の間隔（ピッチ）ｓが５〜１００ｍｍ程度である。この場合、ｈが小さいときはｓも小さくし、ｈが大きいときはｋも大きくしておくのが好ましい。これらｈとｓが大きすぎても小さすぎても壁紙表面に直線状の筋が現れやすいので、実際に筋の現れにくい寸法、形状とすればよい。また、細かい凹凸の寸法は、図３（ｂ）において、ｓもｈも２〜５ｍｍ程度とするのが好ましいが、これに限らず、外形線が壁紙の表面に現れないような寸法であればよい。上記大小の凹凸は、図３のような三角波状の凹凸の場合は、凸部の角度αは１３０〜１６０度程度とするのが好ましい。この場合、台紙２の角度の方を若干大きく（例えば１５０〜１７０度）、補強シート３の角度を若干小さく（例えば１３０〜１５０度）とするのが好ましい。
【００１７】
なお、図示例のギザギザ線やジグザグ線における凹凸形状は、規則的に同じ形状・寸法のものが繰り返されているが、凹凸は寸法のバラツキのある不規則なものでもよい。また、凹凸形状は、図示例のような三角波状のものではなく、滑らかな曲線状としておいてもよい。この場合も凹凸の幅やピッチは上記と同程度とするのが好ましい。
【００１８】
つぎに、図５は壁紙下地処理用シートの他の例として、壁の出隅や入り隅に使用するコーナ用テープ１’を表すもので、このコーナー用テープ１’は、補強シート３の中央部に折り曲げ用の断続切り目Ｌが入れられている。この断続切り目Ｌは、部分抜き加工やミシン目加工等で入れることができる。なお、この図は、台紙２の外縁部を上記切り目５から切り離して除去した図となっている。補強シート３は接着剤で台紙２に貼り着けるが、補強シート３の表面にも接着剤（粘着剤）の層を設けておくのが好ましい。この場合、接着剤層（粘着剤層）の表面に離型紙６を貼り着けておけばよい。台紙２と補強シート３の形状・寸法等は上記下地テープ１と同様である。
【００１９】
上記下地テープ１，１’では、台紙２と補強シート３の外形線が大小の凹凸を組合せた二重凹凸線として形成されているが、場合によっては図４に示す下地テープ１０のように、細かい凹凸を省略することも可能である。しかしながら、この構成では、大きな凹凸状の外形線が壁紙の表面に現れる恐れがあるので、壁紙の厚みが厚い場合等、特別な場合以外は好ましくない。
【００２０】
つぎに、上記下地テープ１を使用する施工法について説明すると、まず、図６（ａ）に示すように、壁材であるボードＢの表面に端から順に所定幅の壁紙（クロスでもよい）Ｐを、その裏面に水で溶いた糊を塗って貼り付ける（壁紙の裏面に予め糊がついているものもある）。１枚の壁紙を貼り終ると、それに隣接する部分に新たな壁紙Ｐを貼り付けるが、この時、柄合わせや、継ぎ目を美麗に仕上げるために、新たな壁紙の縁部を先に貼った壁紙の縁部上に必要幅だけ重ね合わせて貼り付ける。
【００２１】
ついで、上記重複部分の適当な位置（通常は中央部分）にカッターナイフ等の刃物で壁紙の側縁線に沿って切り目Ｋを入れ、両側の端部を切除するとともに、両側の切断端縁部Ｐｔ，Ｐｔを剥して、その下に本件発明の下地テープ１を貼り着ける。この場合、台紙２の両側縁部を蛇行状切り目５に沿って切り離し、補強シート３を下側にして貼り着けるが、台紙２の蛇行状外形線部分は平坦であり、また下地テープ１の補強シート３表面に接着剤（粘着剤）の層が設けられているので、容易に貼り付けることができる。上記壁紙に切り目を入れるときに、下地であるボードＢ表面にも切り目が入るので、下地テープ１をボードの切り目上に貼り付け、その上から壁紙を貼り付けるのである。補強シート３に接着剤層が設けられていない場合は、現場で接着剤を塗布して貼り付ければよい。
【００２２】
最後に、図６（ｃ）に示すように、テープ１の上に両側の壁紙の端部同士を突き合わせて貼り付ける。これにより、端縁部同士が美麗に突き合わされた状態で壁紙を貼ることができる。この下地テープ１は、その両側縁部が明確な直線状ではなく、蛇行状の線となっているとともに、補強シート３の両側部分は薄い台紙のままとなっているので、壁紙の下に貼り付けても端縁部がぼかされた状態となり、その上に貼った壁紙の表面に下地テープ１の線が現れにくい。
【００２３】
また、下地テープ１の両側部には所定幅で台紙２が張り出しているので、補強シート３に接着剤がついていて、施工時等に作業者が濡れた手で触ってもテープ同士が接着したり、他の物品に付着したりせず、取扱性がよい。さらに、このテープ１の台紙には、多数の小孔が設けられているので、台紙の裏側に空気が溜らず、残留空気による膨れ等は発生しない。なお、上記のように、壁紙の継ぎ目部分だけではなく、下地であるボード自体の継ぎ目部分にもこの下地テープ１を使用して、該ボードの継ぎ目を隠せばよい。
【００２４】
つぎに、上記コーナー用テープ１’を用いる施工法について説明すると、このテープ１’は、図７に示すように、部屋のコーナ部Ｃに貼り着ける。この場合、テープ１’の中央の断続切り目Ｌに沿ってテープ１’を直角に折り曲げ、離型紙を外して下地ボードに押し付ければよい。この上から壁紙（又はクロス）を貼り着ける。これにより、コーナー部のエッジ部に筋が現れず、美麗な仕上げを得ることができる。
【００２５】
【発明の効果】
以上の説明から明らかなように、本発明の壁紙下地処理用テープは、台紙の中央部に補強シートが設けられているので、下地ボードに筋があってもこれを隠すことができる。また、その両側部は台紙露出部分となっているとともに、その端縁部が明確な直線ではなく、台紙及び補強シートの外形線が蛇行状の線として形成されているので、壁紙の下側のテープの端縁の線が壁紙の表面に現れにくく、美麗な仕上げを得ることが可能となった。さらに、上記台紙の蛇行状外形線を、使用前には現れておらず、蛇行状の切り目によって外側部分を切り離すことにより現出するように構成しておくと、使用前の台紙の両側の外形線は直線状となっているので、取扱中に部分的な折れ曲がり等が生じにくく平坦な状態を保つことができるのみならず、使用時には、蛇行状の切り目に沿って外縁部を切り離すことによって、簡単に蛇行状の外形線を現出させることができるようになり、実用上便利なものとなる。
【図面の簡単な説明】
【図１】壁紙下地処理用テープの１例の平面図（ａ）及び断面図（ｂ）である。
【図２】側縁部を切り離した使用状態を表す平面図（ａ）及び断面図（ｂ）である。
【図３】壁紙下地処理用テープの蛇行線の拡大平面図（ａ）及び細かい凹凸部の拡大平面図（ｂ）である。
【図４】上記と異なる実施形態の平面図である。
【図５】コーナー用の下地処理用テープの実施形態の平面図である。
【図６】施工法の説明図である。
【図７】コーナー部の施工法の説明図である。
【符号の説明】
１　　　　壁紙下地処理用テープ（下地テープ）
１’　　　壁紙下地処理用テープ（コーナー用テープ）
２　　　　台紙
３　　　　補強シート
５　　　　蛇行状切り目
Ｂ　　　　ボード
Ｌ　　　　切り目
Ｐ　　　　壁紙
【図１】
2004019408.tif 000003
【図２】
2004019408.tif 000004
【図３】
2004019408.tif 000005
【図４】
2004019408.tif 000006
【図５】
2004019408.tif 000007
【図６】
2004019408.tif 000008
【図７】
2004019408.tif 000009